(57)【要約】      （修正有）【課題】構造が簡単であるとともに組み立てが容易な記録用紙搬送機構を提供する。【解決手段】回転駆動される排出ローラ（駆動ローラ）７１と、それにスプリング７３で圧接される従動ローラ７２とを含む記録用紙搬送機構７０Ｍ及び該機構を採用している画像形成装置。記録用紙搬送機構７０Ｍは、構造を簡素化し、組み立てを容易にするために、従動ローラ回転軸７２ｓがスプリング７３の自由端部に排出ローラ７１とは反対側から押された状態で排出ローラ７１から相対的に押圧されて軸受け用凹所Ｂに回転可能に嵌合されており、スプリング７３の自由端部は、従動ローラ回転軸７２ｓをその回転を許すように、且つ、スプリング自由端部７３１から外れないように保持している。【選択図】図２
2011207574.tif 000002
【特許請求の範囲】
【請求項１】
回転駆動される駆動ローラと、該駆動ローラに対向する従動ローラと、スプリング保持部材に保持されて自由端部で前記従動ローラの回転軸を前記駆動ローラとは反対側から押して該従動ローラを該駆動ローラへ圧接させるスプリングとを含み、該従動ローラ回転軸は、該スプリング自由端部に前記駆動ローラとは反対側から押された状態で前記駆動ローラから相対的に押圧されて軸受け用凹所に回転可能に嵌合しており、前記駆動ローラと該駆動ローラに前記スプリングで圧接された前記従動ローラとのニップ部に記録用紙を挟んで搬送できる記録用紙搬送機構であり、前記スプリングの自由端部は、前記従動ローラの回転軸を該従動ローラ回転軸の回転を許すように、且つ、該スプリング自由端部から外れないように保持していることを特徴とする記録用紙搬送機構。
【請求項２】
前記スプリング自由端部は、前記従動ローラ回転軸の回転を許すように該従動ローラ回転軸にＵ字状に折り返し巻きされて該従動ローラを保持している請求項１記載の記録用紙搬送機構。
【請求項３】
記録用紙に画像形成する画像形成装置であり、採用されている記録用紙搬送機構のうち少なくとも一部のものが請求項１又は２記載の記録用紙搬送機構である画像形成装置。
【請求項４】
前記記録用紙搬送機構の一つとして記録用紙排出トレイへ画像形成された記録用紙を排出する、回転駆動される排出ローラと該排出ローラに対向する従動ローラとを含む記録用紙排出搬送機構が採用されており、該記録用紙排出搬送機構は請求項１又は２記載の記録用紙搬送機構である画像形成装置。
【発明の詳細な説明】
【技術分野】
【０００１】
本発明は、回転駆動される駆動ローラと駆動ローラに対向する従動ローラとの間に記録紙、オーバーヘッドプロジェクタ用シート等（以下、「記録用紙」と総称する。）を挟んで搬送する記録用紙搬送機構及び該記録用紙搬送機構を備えた画像形成装置に関する。
【０００２】
複写機、プリンタ、ファクシミリ機、これらのうち２以上の機能を有する複合機等の画像形成装置などで使用されている記録用紙搬送機構には様々のものがあるが、比較的構造簡単で安価に提供できるものとして、従動ローラ回転軸が、スプリング自由端部に駆動ローラとは反対側から押された状態で駆動ローラから相対的に押圧されて軸受け用凹所に回転可能に嵌合される記録用紙搬送機構がある。
【０００３】
この種の記録用紙搬送機構は例えば特開平７−４８０４７号公報に記載されており、図６はその機構の概略を示している。図６に示す記録用紙搬送機構は、記録用紙の両面に画像形成できる両面画像形成装置の反転循環搬送路、すなわち、表面に画像形成された記録用紙を表裏反転させて再び画像形成パスへ供給するための反転循環搬送路における記録用紙搬送ローラ対に採用されているものである。
【０００４】
図６の記録用紙搬送機構ＤＵは、片面に画像形成された記録用紙Ｓｈを反転循環搬送路Ｐに沿って搬送するためのもので、図示省略の駆動モータで回転駆動される駆動ローラｒ１に対し従動ローラｒ２が圧接されている。
【０００５】
従動ローラｒ２は、その回転軸ｒ２ｓが片持ち支持されたスプリングＳｐｒの自由端部で押され、それにより従動ローラｒ２が駆動ローラｒ１に圧接されている。従動ローラ回転軸ｒ２ｓはリブＲｂ’に形成された軸受け凹所Ｇｒに回自在に嵌合されている。軸受け凹所Ｇｒは、その入口Ｇｒｉ幅が軸ｒ２ｓの外径より僅かに狭く形成されており、軸ｒ２ｓはその幅狭入口から凹所Ｇｒ内へ圧入され、凹所Ｇｒから外れないようになっている。
【先行技術文献】
【特許文献】
【０００６】
【特許文献１】特開平７−４８０４７号公報
【発明の概要】
【発明が解決しようとする課題】
【０００７】
特開平７−４８０４７号公報に記載された記録用紙搬送機構ＤＵは、構造が比較的簡単で、安価に製作できると考えられるが、軸受け凹所Ｇｒの入口Ｇｒｉを幅狭に形成して、該幅狭入口に従動ローラ回転軸ｒ２ｓを圧入通過させなければならないので、軸受け凹所入口Ｇｒｉの寸法精度を高めなければならないし、その寸法をラフに決定すると従動ローラ回転軸ｒ２ｓが損傷して従動ローラｒ２の回転に支障がでる等のおそれがある。
【０００８】
これに対して、本発明者は図５に示す記録用紙搬送機構の提供を試みた。図５に示す記録用紙搬送機構７０Ｍ’は、画像形成装置において、画像形成された記録用紙を排出トレイへ排出するための排出ローラ対の一方を駆動ローラ７１、他方をそれに圧接される従動ローラ７２とする記録用紙搬送機構である。
【０００９】
この記録用紙搬送機構７０Ｍ’では、従動ローラ７２を回転駆動される排出ローラ（駆動ローラ）７１へ圧接させるスプリング７３０が採用されている。スプリング７３０は片方の端部が定位置のスプリング係合部７５０に嵌合係合され、スプリング途中が定位置のスプリング支持部材７４０に下方から支えられる。
【００１０】
従動ローラ軸７２ｓがスプリング７３０の自由端部に下方から支えられるようにして排出ローラ（駆動ローラ）７１の方へ押される。排出ローラ７１と従動ローラ７２との相互圧接は、排出ローラ７１を組み付けるときに排出ローラ７１で従動ローラ７２をスプリング７３０に抗して押圧しつつ従動ローラ軸７２ｓを軸受け凹所Ｂへ回転自在に嵌合させる。かくして、従動ローラ回転軸７２ｓは、スプリング７３０の自由端部に排出ローラ７１とは反対側から押された状態で排出ローラ７１から相対的に押圧されて軸受け凹所Ｂに回転可能に嵌合した位置をとる。
【００１１】
この記録用紙搬送機構７０Ｍ’は、構造が簡単で、寸法精度もそれほど高精度が要求されることなく提供できる。
しかし、排出ローラ（駆動ローラ）７１を画像形成装置に組み付けるとき、従動ローラ７２の位置が不安定になるので、従動ローラ７２の位置を安定させる治具が必要になるとともに、該治具をセットするのに新たな手間を要する。
【００１２】
そこで本発明は、回転駆動される駆動ローラと、該駆動ローラに対向する従動ローラと、スプリング保持部材に保持されて自由端部で前記従動ローラの回転軸を前記駆動ローラとは反対側から押して該従動ローラを該駆動ローラへ圧接させるスプリングとを含み、該従動ローラ回転軸は、該スプリング自由端部に前記駆動ローラとは反対側から押された状態で前記駆動ローラから相対的に押圧されて軸受け用凹所に回転可能に嵌合しており、前記駆動ローラと該駆動ローラに前記スプリングで圧接された前記従動ローラとのニップ部に記録用紙を挟んで搬送できる記録用紙搬送機構であって、構造簡単であるとともに組み立てが容易な記録用紙搬送機構を提供することを第１の課題とする。
【００１３】
また本発明は、採用されている記録用紙搬送機構のうち少なくとも一部の記録用紙搬送機構が構造簡単で、組み立て容易であり、それだけ画像形成装置全体としても構造が簡単で、組み立ても容易である画像形成装置を提供することを第２の課題とする。
【課題を解決するための手段】
【００１４】
本発明は前記第１の課題を解決するため、
回転駆動される駆動ローラと、該駆動ローラに対向する従動ローラと、スプリング保持部材に保持されて自由端部で前記従動ローラの回転軸を前記駆動ローラとは反対側から押して該従動ローラを該駆動ローラへ圧接させるスプリングとを含み、該従動ローラ回転軸は、該スプリング自由端部に前記駆動ローラとは反対側から押された状態で前記駆動ローラから相対的に押圧されて軸受け用凹所に回転可能に嵌合しており、前記駆動ローラと該駆動ローラに前記スプリングで圧接された前記従動ローラとのニップ部に記録用紙を挟んで搬送できる記録用紙搬送機構であり、前記スプリングの自由端部は、前記従動ローラの回転軸を該従動ローラ回転軸の回転を許すように、且つ、該スプリング自由端部から外れないように保持している記録用紙搬送機構を提供する。
【００１５】
本発明に係る記録用紙搬送機構は構造が簡単であるだけでなく、スプリングの自由端部は従動ローラの回転軸を該スプリング自由端部から外れないように保持しているので、治具無しでも、容易に組み立てることができる。
【００１６】
前記スプリング自由端部の従動ローラ回転軸の保持形態については、従動ローラ回転軸を駆動ローラとは反対側から駆動ローラ側へ押す状態のものを各種採用できるが、構造簡単なものとして、従動ローラ回転軸の回転を許すように従動ローラ回転軸にＵ字状に折り返し巻きされて該従動ローラを保持するものを例示できる。
【００１７】
本発明はまた、前記第２の課題を解決するため、記録用紙に画像形成する画像形成装置であり、採用されている記録用紙搬送機構のうち少なくとも一部のものが本発明に係る記録用紙搬送機構である画像形成装置を提供する。
【００１８】
本発明に係る画像形成装置によると、採用されている記録用紙搬送機構のうち少なくとも一部のものが本発明に係る記録用紙搬送機構であるから、その記録用紙搬送機構が構造簡単で、組み立て容易であり、それだけ画像形成装置全体としても構造が簡単で、組み立ても容易である。
【００１９】
１例として、前記記録用紙搬送機構の一つとして記録用紙排出トレイへ画像形成された記録用紙を排出する、回転駆動される排出ローラと該排出ローラに対向する従動ローラとを含む記録用紙排出搬送機構が採用されており、該記録用紙排出搬送機構が本発明に係る記録用紙搬送機構である場合を挙げることができる。
【００２０】
このほか、例えば両面画像形成のための反転循環搬送路における記録用紙搬送機構等の記録用紙搬送機構にも本発明に係る記録用紙搬送機構を適宜採用することができる。
【発明の効果】
【００２１】
以上説明したように本発明によると、回転駆動される駆動ローラと、該駆動ローラに対向する従動ローラと、スプリング保持部材に保持されて自由端部で前記従動ローラの回転軸を前記駆動ローラとは反対側から押して該従動ローラを該駆動ローラへ圧接させるスプリングとを含み、該従動ローラ回転軸は、該スプリング自由端部に前記駆動ローラとは反対側から押された状態で前記駆動ローラから相対的に押圧されて軸受け用凹所に回転可能に嵌合しており、前記駆動ローラと該駆動ローラに前記スプリングで圧接された前記従動ローラとのニップ部に記録用紙を挟んで搬送できる記録用紙搬送機構であって、構造簡単であるとともに組み立てが容易な記録用紙搬送機構を提供することができる。
【００２２】
また本発明によると、採用されている記録用紙搬送機構のうち少なくとも一部の記録用紙搬送機構が構造簡単で、組み立て容易であり、それだけ画像形成装置全体としても構造が簡単で、組み立ても容易である画像形成装置を提供することができる。
【図面の簡単な説明】
【００２３】
【図１】本発明に係る画像形成装置の１例を示す図である。
【図２】排出ローラ対を含む記録用紙搬送機構を示す図である。
【図３】図２の記録用紙搬送機構の組み立て前の状態を示す図である。
【図４】図２の記録用紙搬送機構を図２において右側から見て概略的に示す図である。
【図５】本発明に係る記録用紙搬送機構の前身の記録用紙搬送機構を示す図である。
【図６】記録用紙搬送機構の従来例を示す図である。
【発明を実施するための形態】
【００２４】
図面を参照して本発明の実施形態について説明する。
図１は本発明に係る画像形成装置例を示している。
図１の画像形成装置１００は画像形成装置本体Ａとそれに搭載された画像読み取り装置ＩＲを含んでいる。
【００２５】
画像形成装置１００は複写機、プリンタ、ファクシミリ機等として利用できる所謂複合機である。画像読み取り装置ＩＲはそれ自体知られているものであり、原稿画像を読み取り、読み取った画像情報を画像形成装置本体Ａでの原稿複写やファクシミリ送信等に供することができるものである。
【００２６】
画像形成装置本体Ａは、それとは限定されないが、ここでは画像読み取り装置ＩＲで原稿から読み取られた画像情報、外部コンピュータ、フアクシミリ機等から送信されてくる画像情報等に基づいて、電子写真方式により記録用紙にトナー画像を形成することができるものである。
【００２７】
画像形成装置本体Ａは、画像形成部ａ１、画像形成部下方の記録用紙供給部ａ２及び画像形成パスａ３を含んでいる。
【００２８】
画像形成部ａ１は、図中反時計方向まわりに回転駆動されるドラム型感光体１を含んでいるとともに、その周囲に、感光体回転方向に順次配置された帯電器１１、画像露光装置１２、現像器１３、転写ローラ２及び感光体クリーニング装置１４等を含んでいる。
【００２９】
記録用紙供給部ａ２は、この画像形成装置例では２段の記録用紙供給カセット４１、４２と、記録用紙をユーザーが供給する手差しトレイ４３を含んでいる。
【００３０】
カセット４１、４２に収容された記録用紙は給紙ローラ４１１、４２１によりそれぞれ１枚ずつ引き出し、画像形成パスａ３へ供給することができる。手差しトレイ４３に載置された記録用紙は給紙ローラ４３１にて画像形成パスａ３へ供給される。
【００３１】
画像形成装置本体Ａは定着装置５も有しており、画像形成パスａ３は記録用紙供給部ａ２から上昇し、感光体１と転写ローラ２との間を通り、転写ローラ２の上方に位置する定着装置５へ延びている。画像形成パスａ３の、転写ローラ２の前の部分にタイミングローラ対３が配置されている。
【００３２】
定着装置５はそれ自体知られているもので加熱定着ローラとバックアップローラとのニップ部にトナー像が転写された記録用紙を通過させることでトナー像を記録用紙に加熱加圧下に溶融定着させるものである。
【００３３】
画像形成装置本体Ａはさらに記録用紙を排出する排出トレイＴに臨む排出ローラ対７及び定着装置５の排出側から排出ローラ対７へ延びる排出搬送路ａ４を有している。
排出搬送路ａ４の途中部分には、支点軸６ｓを中心に回動可能の記録用紙ガイド爪６が設けられている。ガイド爪６は常時は排出搬送路途中部分を閉じている。
【００３４】
画像形成装置本体Ａはさらにガイド爪６の上側域から排出ローラ対７とは反対側に延びる反転循環搬送路ａ５を有している。反転循環搬送路ａ５には記録用紙搬送のための搬送ローラ対８２が配置されている。反転循環搬送路ａ５は、記録用紙の両面に画像形成するために片面に画像形成された記録用紙を反転させて再び画像形成パスａ３へ供給するためのものである。
【００３５】
反転循環搬送路ａ５は両面ユニット８０に設けられている。
また転写ローラ２及びタイミングローラ対３も両面ユニット８０に取り付けられている。
【００３６】
両面ユニット８０は、ここでは全体的に上下方向に延びており、画像形成装置本体Ａの側面カバーとして機能するものである。両面ユニット８０は下端部の軸８Ｓで画像形成本体Ａに揺動可能に連結されている。
【００３７】
両面ユニット８０は軸８Ｓを中心に揺動させて開閉でき、それにより点検や、ジャム処理等を行うことができる。両面ユニット８０を開くと、転写ローラ２、タイミングローラ対３がユニット８０側に付いて露出される。画像形成パスａ３を構成しているガイド部材２ｇ、３ｇ等もユニット８０側に付いて露出される。
【００３８】
画像形成装置本体Ａの上部には排出搬送路ａ４を開閉する排出側カバー７０が設けられている。排出ローラ対７は図示省略の駆動部により回転駆動される上側の排出ローラ７１と、これにスプリング７３（図２、図３参照）で圧接される下側の従動ローラ７２とからなっている。また、この排出ローラ７１、従動ローラ７２及びスプリング７３等で一つの記録用紙搬送機構７０Ｍが構成されている。この記録用紙搬送機構７０Ｍは本発明に係る記録用紙搬送機構の１例である。
【００３９】
排出側カバー７０は排出ローラ７１の回転軸７１ｓを中心に手動回動可能である。
【００４０】
以上説明した画像形成装置１００は図示省略の制御部の指示、制御のもとに次のようにして画像形成できる。
画像形成部ａ１における感光体１が図示省略のモータで回転駆動され、回転する感光体１表面が帯電器１１で所定電位に帯電される。その帯電域に画像露光装置１２から画像露光が施され、静電潜像が形成される。露光装置１２は、画像読み取り装置ＩＲから提供される画像情報或いは外部のコンピュータやファクシミリ機等からの画像情報に基づいて画像露光を施す。
【００４１】
このようにして形成された静電潜像は、現像装置１３の現像ローラ１３１からトナーを付与されて現像され、トナー像が形成される。このとき現像ローラ１３１には図示省略の電源から現像バイアスが印加される。
【００４２】
一方、記録用紙供給部ａ２のカセット４１、４２のいずれか、或いは手差しトレイ４３から記録用紙がタイミングローラ対３へ供給される。記録用紙はそこで一旦停止される。  感光体１上のトナー像が転写ローラ２へ到来するタイミングで感光体１と転写ローラ２とのニップ部へ記録用紙が供給されるようにタイミングローラ対３が駆動され、記録用紙が転写領域へ供給される。
【００４３】
かくして記録用紙に転写ローラ２により感光体１上のトナー像が転写される。このとき、転写ローラ２には図示省略の転写電源から転写電圧が印加される。
感光体１上の転写残トナー等はクリーニング装置１４に除去される。トナー像が転写された記録用紙は定着装置５を通過することで該トナー像が定着される。
【００４４】
片面画像形成モードでは、定着装置５を通過した記録用紙は記録用紙ガイド爪６を押し上げ回動させつつ排出搬送路ａ４を通って排出ローラ対７にて排出トレイＴへ排出される。
【００４５】
両面画像形成モードでは、定着装置５を通過した記録用紙は記録用紙ガイド爪６を押し上げ回動させつつ排出搬送路ａ４を通って排出ローラ対７にて排出トレイＴへ排出されるが、記録用紙の後端がガイド爪６を通過した後、排出ローラ対７が逆転開始され、これにより記録用紙はスイッチバックし、閉じ位置に復帰したガイド爪６の上側を通って反転循環搬送路ａ５へ送られ、さらに搬送路ａ５における搬送ローラ対８２に搬送されて画像形成パスａ３へ表裏反転した状態で再供給される。
かくして該記録用紙は反対側の面にも、前記同様に画像形成され、排出トレイＴへ排出される。
【００４６】
なお、以上説明した画像形成部ａ１はモノクロ画像を形成するものであるが、所謂タンデム型とか、４サイクル型などと称されているカラー画像形成部でも構わない。
【００４７】
記録用紙搬送機構７０Ｍについてさらに図２、図３及び図４を参照して説明する。
図２は、組み立てられた、排出ローラ対７を含む記録用紙搬送機構７０Ｍを概略的に示している。図３は同機構７０Ｍの組み立て前の状態を示している。図４は搬送機構７０Ｍを図２において右側から見て概略的に示す図である。
【００４８】
記録用紙搬送機構７０Ｍは、既述のとおり排出ローラ７１及びこれにスプリング７３で圧接される従動ローラ７２を含んでいるが、排出ローラ７１はその回転軸７１ｓの部分で図示省略の軸受け部材を介して画像形成装置本体Ａに回転可能に支持されるように画像形成装置本体Ａに組み付け可能である。
【００４９】
図４に示すように、排出ローラ軸７１ｓには、排出ローラ７１が間隔を開けて二つ設けられており、それぞれの排出ローラ７１に従動ローラ７２が圧接されている。また、排出ローラ７１のほか、記録用紙を手繰り寄せる効果のある短い羽根を有する羽根付きローラ７１’も複数個分散配置されている。画像形成装置本体Ａには、各羽根付ローラ７１’の両側に記録用紙案内リブＲＢを設けてある。
【００５０】
図２、図３から分かるように、スプリング７３は、それとは限定されないがここでは上方からみるとＵ字形状のスプリングである。そしてＵ字形状の底部にあたるスプリングの片側端部７３２が画像形成装置本体Ａ側に設けられた係合部７５に嵌合係合され、スプリング途中が定位置のスプリング支持部材７４に下方から支えられている。ここではこれら係合部７５及び支持部材７４はスプリング保持部材を構成している。
【００５１】
支持部材７４及び係合部７５は、図３に示すように、画像形成装置本体Ａに設けられた平行なリブＲｂの間に設けられている。
スプリング７３の自由端部７３１は従動ローラ回転軸７２ｓの回転を許すように軸７２ｓにＵ字状に折り返し巻きされて従動ローラ７２を保持している。
【００５２】
このようにスプリング７３の端部７３２が係合部７５に嵌合係合され、スプリング途中部分が支持部材７４に下方から支持されている状態で、スプリングの二つの先端自由端部７３１が従動ローラ軸７２ｓを下方から上方へ排出ローラ７１側へ押している。一方、排出ローラ７１は相対的に従動ローラ７２を下方へ押し、従動ローラ軸７２ｓをリブＲｂに形成された軸受け用凹所（ここでは上方へ開口した凹所）Ｂへ回転自在に嵌合位置決めしている。
【００５３】
かくして従動ローラ７２が排出ローラ７１に圧接された状態が維持され、且つ、排出ローラ７１、従動ローラ７２が共に定位置で回転可能となっている。
これら両ローラ間に画像形成された記録用紙が定着装置５から送り込まれることで該記録用紙を排出トレイＴへ排出搬送することができ、両面画像形成モードでは、排出ローラ７１を逆転させて反転循環搬送路ａ５へスイッチバックさせることができる。
【００５４】
このように記録用紙排出搬送機構７０Ｍは構造が簡単であり、従ってまた画像形成装置全体としてもそれだけ構造が簡単になっていると言える。
【００５５】
さらに重要なことは、スプリング７３の自由端部７３１が従動ローラ回転軸７２ｓの回転を許すように軸７２ｓにＵ字状に折り返し巻きされて従動ローラ７２を保持している点である。
【００５６】
従動ローラ軸７２ｓがこのようにスプリング自由端部７３１に保持されていることで、記録用紙排出搬送機構７０Ｍを組み立てるとき、従動ローラ７２をスプリング７３や排出ローラ７１に対して位置決めしておく治具等を用いなくても、機構７０Ｍを容易に組み立てることができる。
従ってまた、画像形成装置１００全体としても、その組み立てがそれだけ容易であると言える。                                                                        
【産業上の利用可能性】
【００５７】
本発明は、回転駆動される駆動ローラと、それにスプリングで圧接される従動ローラとを含む記録用紙搬送機構であって、構造簡単で、組み立て容易であるもの提供することに利用できる。
【符号の説明】
【００５８】
１００  画像形成装置
Ａ  画像形成装置本体                                                            ＩＲ  画像読み取り装置
ａ１  画像形成部
ａ２  記録用紙供給部
ａ３  画像形成パス
ａ４  排出搬送路
ａ５  反転循環搬送路
５  定着装置
６  記録用紙ガイド爪
６ｓ  記録用紙ガイド爪の回動支点軸
７０  排出側カバー
７  排出ローラ対
７１  排出ローラ
７１’  羽根付き排出ローラ
７１ｓ  排出ローラ軸（排出側カバーの揺動支点軸）
７２  従動ローラ
７２ｓ  従動ローラ軸
７３  スプリング
７３１  スプリングの自由先端部
７３２  スプリング後端部
７４  スプリングを下方から支持する部材
７５  スプリング後端部を係合させるスプリング係合保持部材
Ｒｂ  画像形成装置本体のリブ
Ｂ  リブＲｂに形成された軸受け用凹所
ＲＢ  記録用紙案内リブ
８０  両面ユニット
８Ｓ  両面ユニットの揺動支点軸
Ｔ  排出トレイ
【図１】
2011207574.tif 000003
【図２】
2011207574.tif 000004
【図３】
2011207574.tif 000005
【図４】
2011207574.tif 000006
【図５】
2011207574.tif 000007
【図６】
2011207574.tif 000008